(57)【要約】【課題】構成が簡単で軽量であるからシート被装作業が容易であるし、パイプ組成体に屋根シートを被装しながら順次係着するので風によって煽られることがなく作業効率に優れており、被装した屋根シートを収納する作業も容易に行うことができるパイプハウス用シート被装具を提供する。【解決手段】アーチパイプ２Ａとセンターパイプ２Ｂを連結して構成するパイプ組成体２上に屋根シート４を被装するためのパイプハウス用シート被装具１１は、屋根シート束４´を搭載する一対のシート移送台１２を横方向に連結して構成してある。シート移送台１２にはセンターパイプ２Ｂを挟むようにガイド材１６が回動自在に設けてある。屋根シート束４´を地上から被装方向に牽引することにより、シート移送台１２が前進して屋根シート４がパイプ組成体２を順次被装する。【選択図】図２
2010178632.tif 000002
【特許請求の範囲】
【請求項１】
複数本のアーチパイプをセンターパイプに連結し、地盤に所定の間隔で列設してなるパイプ組成体上に屋根シートを被装するパイプハウス用シート被装具であって、前記パイプ組成体上を移動可能なシート搭載部と、該シート搭載部の前端側に形成したシート受け部とからなり、該シート搭載部に搭載した屋根シート束を地上から被装方向に牽引することにより該シート受け部が押動されることで移動する一対のシート移送台を、前記センターパイプの両側に位置するように横方向に連結し、該各シート移送台の対向する側縁に、前記センターパイプに当接し、かつ前記アーチパイプを乗り越え可能なガイド材を設けてなるパイプハウス用シート被装具。
【請求項２】
前記シート移送台は、前記パイプ組成体上を前後方向に移動可能に構成してあることを特徴とする請求項１記載のパイプハウス用シート被装具。
【請求項３】
前記シート移送台の下面に、前記パイプ組成体上を摺動するランナーを設けてあることを特徴とする請求項１記載のパイプハウス用シート被装具。
【請求項４】
前記ランナーは、前記シート移送台に対して前後の向を転換可能に設けてあることを特徴とする請求項３記載のパイプハウス用シート被装具。
【請求項５】
前記一対のシート移送台は、互いに上下方向に揺動自在なように連結してあることを特徴とする請求項１記載のパイプハウス用シート被装具。
【請求項６】
前記シート移送台は、後端側に後方引き索を設けてあることを特徴とする請求項１記載のパイプハウス用シート被装具。
【請求項７】
パイプ組成体上を移動可能なパイプハウス用シート被装具に屋根シートを搭載し、該屋根シートの基端側を前記パイプ組成体の一側端に係着した状態で、該屋根シートを地上から被装方向に向けて牽引することにより、前記パイプハウス用シート被装具を移動させつつ該屋根シートを前記パイプ組成体上に順次被装し、被装した屋根シートは該パイプ組成体に順次係着するようにしたパイプハウスのシート被装方法。
【発明の詳細な説明】
【技術分野】
【０００１】
本発明は、ビニールハウスとも呼ばれるパイプハウスのパイプ組成体にビニール等の屋根シートを被装し、また被装した屋根シートを収納する作業に用いて好適なパイプハウス用シート被装具及びパイプハウスのシート被装方法に関する。
【背景技術】
【０００２】
パイプハウスはパイプ組成体と、その上に被装する塩化ビニール等の屋根シートと、パイプ組成体の側面を覆うサイドシートとから構成してあり、屋根シートをパイプ組成体に被装する場合、従来はパイプ組成体の側面一側に引き紐を連結した屋根シートを置き、パイプ組成体上に掛け渡して他側に垂らした引き紐を引くことにより、屋根シートをパイプ組成体上に引揚げて被装する作業を行っていた。
【０００３】
しかし、屋根シートを均等に引揚げる作業は困難であるし、重なった屋根シートが水分で付着している場合には大きな力が必要であるため、多くの作業員が必要であるという問題、作業中に屋根シートが風に煽られると人力で押えることは困難で、幾度も作業のやり直しになるという問題がある。また、屋根シートは地面に置いた状態から引揚げるために土、泥が付いて汚れる、屋根シートに擦り傷が付いて裂ける原因になるといった幾多の欠点がある。
【０００４】
そこで、作業効率の向上やパイプハウスの大型化に対応すべく、パイプ組成体の前端から後端に向けて屋根シートを順次被装する用具が提案されている。例えば、パイプハウス骨組１００の一方の妻面上部に取付けたロールガイド具８と、パイプハウス骨組の屋根の中央部に摺動自在に載置し、屋根を被覆するフィルム２０の一端側を取り付ける手段を備えたソリ具１０と、パイプハウス骨組１００の他方の妻面１２上部に取り付けるプーリー具１４と、ソリ具１０に連結した牽引ロープ１６をプーリー具１４を介して地上から牽引する牽引手段１８とから構成したパイプハウスのフィルム展張用具が提案されている（特許文献１）。
【０００５】
また、移動体がビニールハウス上で移動しながら屋根シートをビニールハウス上に展設する方法の用具も提案されている。例えば、天井部４ａ上で滑動する滑動体２６と、天井部４ａに沿ってアーチ状に形成し、滑動体２６に設けた支持枠体６と、支持枠体６上に設け、ビニールを滑動方向とは反対方向に繰出すビニール繰出し体１０とを備え、滑動体２６に自走装置を設け、ビニールハウス棟４の天井部上にビニールを伸長・展開しながら天井部を被覆するビニール伸長・展開機１が提案されている（特許文献２）。
【特許文献１】特開平１１−１１３４１５号公報
【特許文献２】特許第３２４２０３６号特許公報
【発明の開示】
【発明が解決しようとする課題】
【０００６】
しかし、特許文献１に示す技術は、フィルム２０の一端側を取り付ける手段を備えたソリ具１０を、パイプハウス骨組１００の一方の妻面側から他方の妻面に向けて他方の妻面側から牽引手段により牽引するもので、フィルムが濡れている場合には、パイプハウス骨組１００上にフィルムを円滑に展張するには困難で大きな牽引力が必要であるし、フィルムが無理な力で裂ける危険がある。また、展張作業中にフィルムを骨組１００に順次係着することは出来ないから、風を受けたフィルムが煽られて作業がやり直しになってしまうという欠点がある。
【０００７】
また、特許文献２に示す技術は、装置として大掛かりで高価であるし、平坦で固く締まった地盤でないとキャスター車輪３０を有する支持枠体６は使用出来ないという問題があり、極めて特殊なパイプハウスでしか使用出来ないものである。また、ビニール５の展張作業中での風による煽りに対応できないという上述した特許文献１の技術と同様の欠点がある。
【０００８】
本発明は上述した従来技術の諸問題と欠点に鑑みなされたもので、構成が簡単で軽量であるからシート被装作業が容易であるし、パイプ組成体に屋根シートを被装しながら順次係着するので風によって煽られることがなく作業効率に優れており、しかも被装した屋根シートを収納する作業も容易に行うことができるパイプハウス用シート被装具及びパイプハウスのシート被装方法を提供することを目的とする。
【課題を解決するための手段】
【０００９】
上述した課題を解決するために構成した本発明の手段は、複数本のアーチパイプをセンターパイプに連結し、地盤に所定の間隔で列設してなるパイプ組成体上に屋根シートを被装するパイプハウス用シート被装具であって、前記パイプ組成体上を移動可能なシート搭載部と、該シート搭載部の前端側に形成したシート受け部とからなり、該シート搭載部に搭載した屋根シート束を地上から被装方向に牽引することにより該シート受け部が押動されることで移動する一対のシート移送台を、前記センターパイプの両側に位置するように横方向に連結し、該各シート移送台の対向する側縁に、前記センターパイプに当接し、かつ前記アーチパイプを乗り越え可能なガイド材を設けたものからなる。
【００１０】
そして、前記シート移送台は、前記パイプ組成体上を前後方向に移動可能に構成するとよい。
【００１１】
また、前記シート移送台の下面に、前記パイプ組成体上を摺動するランナーを設けた構成にするとよい。
【００１２】
更に、前記ランナーは、前記シート移送台に対して前後の向を転換可能に設けるとよい。
【００１３】
また、前記一対のシート移送台は、互いに上下方向に揺動自在なように連結するとよい。
【００１４】
更にまた、前記シート移送台は、後端側に後方引き索を設けた構成にするとよい。
【００１５】
また、請求項７に係る本発明を構成するパイプハウスのシート被装方法は、パイプ組成体上を移動可能なパイプハウス用シート被装具に屋根シートを搭載し、該屋根シートの基端側を前記パイプ組成体の一側端に係着した状態で、該屋根シートを地上から被装方向に向けて牽引することにより、前記パイプハウス用シート被装具を移動させつつ該屋根シートを前記パイプ組成体上に順次被装し、被装した屋根シートは前記パイプ組成体に順次係着するようにしたことにある。
【発明の効果】
【００１６】
本発明は上述の如く構成したから、下記の諸効果を奏する。
（１）パイプハウス用シート被装具を構成するシート移送台は縦断面略倒置Ｊ字状の簡単な構成からなり、極めて軽量であるから取扱いが容易で作業性に優れているし、故障も無く耐久性に優れている。
（２）シート移送台は、パイプ組成体上を前後方向に移動可能に構成したから、屋根シートの被装と収納を１台で行うことができる。
（３）シート移送台の下面にパイプ組成体上を摺動するランナーを設けたから、アーチパイプのスパンが広い場合にも、シート移送台の長さは変えずに、長さのあるランナーに交換するだけでシート移送台を使用することができる。
（４）ランナーはシート移送台に対して前後の向を転換可能に設けることにより、シート移送台は屋根シートの被装にも収納にも用いることができる。
（５）一対のシート移送台は、互いに上下方向に揺動自在に連結してあるから、アーチパイプの傾斜角度や湾曲率が異なるパイプ組成体にも搭載して使用することができる。
（６）シート移送台は後端側に設けた後方引き索を地上から牽引することで、シート移送台を後退させながらパイプ組成体に被装してある屋根シートを容易に収納することができる。
（７）パイプハウス用シート被装具に搭載した屋根シートは、その基端側をパイプ組成体の一側端に係着し、他側端に向けてパイプハウス用シート被装具を移動させながらパイプ組成体上に順次被装し、被装した屋根シートはパイプ組成体に順次係着するから、風によって屋根シートが煽られることなく効率よく屋根シートの被装作業を行うことが出来る。
【発明を実施するための最良の形態】
【００１７】
以下、本発明の実施の形態を図面に基づき詳述する。先ず、パイプハウス１はパイプ組成体２と、該パイプ組成体２の腰高部分を覆うサイドシート３と、パイプ組成体２の屋根部分を覆う例えば塩化ビニール製の屋根シート４とから構成してある。ここで、該パイプ組成体２は、図２に示すように地面Ｇに所定の間隔で立設する多数本のアーチパイプ２Ａと、該アーチパイプ２Ａを上端側で連結するセンターパイプ２Ｂと、アーチパイプ２Ａを左右の両側面で連結するサイドパイプ２Ｃ、２Ｃとから構成してあり、パイプ組成体２を組上げたら、先ずサイドシート３によりパイプ組成体２の腰高部分を覆う。
【００１８】
１１は、前記パイプ組成体２上に屋根シート４を被装するパイプハウス用シート被装具（以下、シート被装具１１と称する。）を示す。１２、１２は該シート被装具１１を構成する一対のシート移送台で、該各シート移送台１２はパイプ組成体２上を移動する平板状のシート搭載部１２Ａと、該シート搭載部１２Ａの先端から上方に湾曲状に突出するシート受け部１２Ｂを合成樹脂材によって縦断面略倒置Ｊ字状に一体に成形したものからなり、シート搭載部１２Ａに屋根シート４を蛇行状に折畳んで積層した屋根シート束４´を搭載するようになっている。
【００１９】
そして、シート搭載部１２Ａには軽量化のための複数の抜き穴１２Ｃを形成し、後端側に後索連結穴１２Ｄを、シート搭載部１２Ａからシート受け部１２Ｂに続く部位の外側寄りの位置に前索連結穴１２Ｅを夫々形成してある。
【００２０】
１３、１３は各シート搭載部１２Ａの下面に設けた一対のランナーで、該各ランナー１３は棒鋼の先端側１３Ａを上向き湾曲状に形成したものからなる。各ランナー１３は、シート搭載部１２Ａの下面に設けた取付け部材１４に着脱可能に設けることにより、進行方向に応じて先端側１３Ａの向きを逆向きに変更可能になっている。
【００２１】
１５、１５は前記一対のシート移送台１２、１２を横方向に連結する一対のヒンジを示す。該各ヒンジ１５は両シート移送台１２、１２の対向縁に夫々設けた筒状の各一対の継手と、同一軸線に衝合させた継手に挿装したピンとによって、公知のヒンジと同様に構成してあり、一対のシート移送台１２、１２はヒンジ１５を中心に上下方向に揺動可能に連結してある。なお、ヒンジ１５に代えて、ゴム、合成樹脂材などで成形した１以上の可撓性連結片で一対のシート移送台１２、１２を連結してもよいものである。
【００２２】
１６は各シート移送台１２の対向縁に設けた棒状のガイド材で、該ガイド材１６は上端側をシート移送台１２に固着したブラケット１６Ａに軸着することで前後方向に回動自在になっている。
【００２３】
１７はシート被装具１１をパイプ組成体２の後方に向けて移動させるための後方引き索で、該後方引き索１７は各シート移送台１２に設けた後索連結穴１２Ｄに挿通して係着してある。１８は各シート移送台１２の前紐連結穴１２Ｅに連結した前方引き索で、該前方引き索１８は屋根シート束４´の重量がある場合や、シート移送台１２の動きが悪い場合に前方に移動させる補助として使用する。
【００２４】
本実施の形態は上述の構成からなるが、次にその作動について説明する。先ず、パイプ組成体２の前側端上に一対のシート移送台１２、１２を乗せ、センターパイプ２Ｂを中心にしてその両側にシート移送台１２Ａ、１２Ａを配置してヒンジ１５で連結する。これにより、一対のガイド材１６、１６はセンターパイプ２Ｂを緩やかに挟んだ状態になり、シート被装具１１がアーチパイプ２Ａを中心にして左右にぶれることなく直進移動するのを確保し、またシート移送台１２がアーチパイプ２Ａから横方向に滑落する事態を防止している。
【００２５】
次に、シート被装具１１上に屋根シート束４´を搭載してその両端側４´Ａ、４´Ａをパイプ組成体２の両側に垂らした状態にし（図１参照）、屋根シート４の長手方向一側端部４Ｂをパイプ組成体２のアーチパイプ２Ａに公知のクリップ１９、１９、・・で係着する。しかる後、屋根シート束４´の両端側４´Ａを作業員が地上から矢示イ方向の被装方向に引くと、屋根シート束４´によってシート受け部１２Ｂが押動されてシート移送台１２、１２が前進し、逆に屋根シート４は矢示ロ方向の後方に順次繰り出されることでパイプ組成体２上に展開することができる。
【００２６】
シート被装具１１は、一対のシート移送台１２、１２に設けたガイド材１６がセンターパイプ２Ｂを緩やかに挟んだ状態にしてあるから、パイプ組成体２上で横方向に滑落することなく略中心位置を維持しながら前進することで、屋根シート４を左右略均等に被装することができる。そして、ガイド材１６はシート移送台１２に回動可能に設けてあるから、移動中にアーチパイプ２Ａに当る度に回動することで容易に乗り越えることができ（図７参照）、シート被装具１１は円滑に前進し、また収納時には後退することができる。
【００２７】
このようにして、パイプ組成体２上に屋根シート４を被装しながら、適宜の間隔で屋根シート４をクリップ１９、１９、・・によりアーチパイプ２Ａとサイドパイプ２Ｃに係着する。また、隣接するアーチパイプ２Ａ、２Ａの間に、屋根シート４の上からゴム製のハウスバンド２０をパイプ組成体２の両側に掛けて張設することにより、屋根シート４をパイプ組成体２に強固に被装することができ、風に煽られる事態を確実に防止することができる。シート移送台１２は、パイプ組成体２の他側端に到達したら地上に降ろし、屋根シート４の他側端部をアーチパイプ２Ａとサイドパイプ２Ｂにクリップ１９で係着することで、屋根シート４の被装作業は終了する。
【００２８】
上記とは逆に、パイプ組成体２に被装してパイプハウスを構成している屋根シート４を収納する場合は、シート移送台１２に設けてあるランナー１３、１３の前後の向きを変え、パイプ組成体２の後端側に乗せて屋根シート４の他側端部をシート搭載部１２Ａに乗せる。この状態から、後方引き索１７を引いてシート移送台１２を矢示ロ方向に摺動させ、屋根シート４の下側に恰も潜り込ませるように移動させることにより、屋根シート４をシート受け部１２Ｂで受け止めることでシート搭載部１２Ａに円滑に収納することができる。
【００２９】
このように、屋根シート４の被装作業と収納作業のいずれも、屋根シート４を地盤Ｇに接することなく行うから、屋根シート４が汚れることが無いし、擦り傷等が付いて亀裂するといった事態を解消できる。また、被装作業中に屋根シート４はパイプ組成体２にクリップ１９により順次固定し、ハウスバンド１９によって屋根シート４をパイプ組成体２に順次締着する作業を進めることにより、作業中に屋根シート４が風に煽られて作業をやり直すといった作業の無駄を解消することができる。
【００３０】
次に、本実施の形態の変形例を図９に示す。図において、２１はシート被装具、２２、２２は該シート被装具２１を構成する一対のシート移送台で、該各シート移送台２２は下面２２Ａ１が摺動面になり、パイプ組成体２上を移動する平板状のシート搭載部２２Ａと、該シート搭載部２２Ａの先端から上方に湾曲状に突出するシート受け部２２Ｂと、シート搭載部２２Ａの後端側を上方に若干湾曲させた後進誘導部２２Ｃを合成樹脂材によって縦断面略倒置Ｊ字状に一体に成形してある。そして、シート搭載部２２Ａに屋根シート４を蛇行状に折畳んで積層した屋根シート束４´を搭載して屋根シート４を被装し、収納する後進時にはシート搭載部２２Ａに連結した後方引き索１７で矢示ハ方向に牽引するようにしてある。
【００３１】
シート被装具２１は上述の構成からなり、屋根シート４を被装し、収納する使用方法は前述したシート被装具１１と異なるところはないが、シート移送台２２自体がパイプ組成体２上で摺動し、シート移送台２２にランナー１３は設けない構成にしたから、構成が更に簡潔になるし、ランナー１３の方向転換の手間を無くすことができる。
【００３２】
なお、本実施の形態では一対のシート移送台１２、１２によってシート被装具１１を構成するものとして説明したが、４台のシート移送台１２、１２、・・を横方向に連結して構成してもよいし、下面がパイプ組成体２の屋根部頂上に沿った形状に形成した中央シート移送台の両側に、シート移送台１２、１２を連結した構成にすることも本発明思想に包含されるものである。
【図面の簡単な説明】
【００３３】
【図１】本発明の実施の形態に係るシート被装具の使用状態を説明する正面図である。
【図２】シート被装具の使用状態を説明する側面図である。
【図３】シート被装具の部分正面図である。
【図４】シート被装具の左側面図である。
【図５】シート被装具の外観斜視図である。
【図６】シート被装具をパイプ組成体上に載置した状態の平面図である。
【図７】ガイド材がアーチパイプを乗り越える状態の説明図である。
【図８】ランナーを逆付けしたシート被装具によって屋根シートを収納する状態の説明図である。
【図９】変形例に係るシート被装具の側面図である。
【符号の説明】
【００３４】
２        パイプ組成体
２Ａ      アーチパイプ
２Ｂ      センターパイプ
４        屋根シート
４´      屋根シート束
１１、２１    パイプハウス用シート被装具
１２、２２    シート移送台
１２Ａ    シート搭載部
１２Ｂ    シート受け部
１３      ランナー
１５      ヒンジ
１６      ガイド材
１７      後方引き索
【図１】
2010178632.tif 000003
【図２】
2010178632.tif 000004
【図３】
2010178632.tif 000005
【図４】
2010178632.tif 000006
【図５】
2010178632.tif 000007
【図６】
2010178632.tif 000008
【図７】
2010178632.tif 000009
【図８】
2010178632.tif 000010
【図９】
2010178632.tif 000011
【手続補正書】
【提出日】平成21年6月1日(2009.6.1)
【手続補正１】
【補正対象書類名】特許請求の範囲
【補正対象項目名】請求項７
【補正方法】変更
【補正の内容】
【請求項７】
パイプ組成体上を移動可能なシート搭載部と、該シート搭載部の前端側に形成したシート受け部とからなる一対のシート移送台で構成したパイプハウス用シート被装具に屋根シート束を搭載し、該屋根シート束の基端側を前記パイプ組成体の一側端に係着した状態で、該屋根シート束を地上から被装方向に向けて牽引して前記シート受け部を押動することにより、前記パイプハウス用シート被装具を移動させつつ該屋根シート束の屋根シートを前記パイプ組成体上に順次繰り出して被装し、被装した屋根シートは該パイプ組成体に順次係着するようにしたパイプハウスのシート被装方法。
【手続補正２】
【補正対象書類名】明細書
【補正対象項目名】００１５
【補正方法】変更
【補正の内容】
【００１５】
また、請求項７に係る本発明を構成するパイプハウスのシート被装方法は、パイプ組成体上を移動可能なシート搭載部と、該シート搭載部の前端側に形成したシート受け部とからなる一対のシート移送台で構成したパイプハウス用シート被装具に屋根シート束を搭載し、該屋根シート束の基端側を前記パイプ組成体の一側端に係着した状態で、該屋根シート束を地上から被装方向に向けて牽引して前記シート受け部を押動することにより、前記パイプハウス用シート被装具を移動させつつ該屋根シート束の屋根シートを前記パイプ組成体上に順次繰り出して被装し、被装した屋根シートは該パイプ組成体に順次係着するようにしたことにある。
【手続補正３】
【補正対象書類名】明細書
【補正対象項目名】００１６
【補正方法】変更
【補正の内容】
【００１６】
本発明は上述の如く構成したから、下記の諸効果を奏する。
（１）パイプハウス用シート被装具を構成するシート移送台は、シート搭載部とシート受け部とにより縦断面略倒置Ｊ字状の簡単で極めて軽量な構成からなるから、搭載した屋根シート束を地上から牽引してシート受け部を押動することでパイプ組成体に屋根シートを被装することができ、取扱いが容易で作業性に優れているし、故障も無く耐久性に優れている。
（２）シート移送台は、パイプ組成体上を前後方向に移動可能に構成したから、屋根シートの被装と収納を１台で行うことができる。
（３）シート移送台の下面にパイプ組成体上を摺動するランナーを設けたから、アーチパイプのスパンが広い場合にも、シート移送台の長さは変えずに、長さのあるランナーに交換するだけでシート移送台を使用することができる。
（４）ランナーはシート移送台に対して前後の向を転換可能に設けることにより、シート移送台は屋根シートの被装にも収納にも用いることができる。
（５）一対のシート移送台は、互いに上下方向に揺動自在に連結してあるから、アーチパイプの傾斜角度や湾曲率が異なるパイプ組成体にも搭載して使用することができる。
（６）シート移送台は後端側に設けた後方引き索を地上から牽引することで、シート移送台を後退させながらパイプ組成体に被装してある屋根シートを容易に収納することができる。
（７）パイプハウス用シート被装具に搭載した屋根シートは、その基端側をパイプ組成体の一側端に係着し、他側端に向けてパイプハウス用シート被装具を移動させながらパイプ組成体上に順次被装し、被装した屋根シートはパイプ組成体に順次係着するから、風によって屋根シートが煽られることなく効率よく屋根シートの被装作業を行うことが出来る。
【手続補正書】
【提出日】平成21年11月9日(2009.11.9)
【手続補正１】
【補正対象書類名】特許請求の範囲
【補正対象項目名】全文
【補正方法】変更
【補正の内容】
【特許請求の範囲】
【請求項１】
複数本のアーチパイプをセンターパイプに連結し、地盤に所定の間隔で列設してなるパイプ組成体上に屋根シートを被装するパイプハウス用シート被装具であって、前記パイプ組成体上を前後方向に移動可能なシート搭載部と、該シート搭載部の前端側に形成したシート受け部と、前記シート搭載部の後端側に設けた後方引き索とからなり、前記シート受け部は前記シート搭載部に搭載した屋根シート束を地上から被装方向に牽引することにより押動され、前記後方引き索を後方に牽引することにより屋根シートを受け止める一対のシート移送台を、前記センターパイプの両側に位置するように横方向に連結し、該各シート移送台の対向する側縁に、前記センターパイプに当接し、かつ前記アーチパイプを乗り越え可能なガイド材を設けてなるパイプハウス用シート被装・収納具。
【請求項２】
前記シート移送台の下面に、前記パイプ組成体上を摺動するランナーを設けてあることを特徴とする請求項１記載のパイプハウス用シート被装・収納具。
【請求項３】
前記ランナーは、前記シート移送台に対して前後の向を転換可能に設けてあることを特徴とする請求項２記載のパイプハウス用シート被装・収納具。
【請求項４】
前記一対のシート移送台は、互いに上下方向に揺動自在なように連結してあることを特徴とする請求項１記載のパイプハウス用シート被装・収納具。
【請求項５】
パイプ組成体上を移動可能なシート搭載部と、該シート搭載部の前端側に形成したシート受け部と、前記シート搭載部の後端側に設けた後方引き索とからなる一対のシート移送台で構成したパイプハウス用シート被装具に屋根シート束を搭載し、該屋根シート束の基端側を前記パイプ組成体の一側端に係着した状態で、該屋根シート束を地上から被装方向に向けて牽引して前記シート受け部を押動することにより、前記パイプハウス用シート被装具を移動させつつ該屋根シート束の屋根シートを前記パイプ組成体上に順次繰り出して被装し、被装した屋根シートは該パイプ組成体に順次係着し、かつ、前記後方引き索を後方に牽引して前記パイプハウス用シート被装具を後進させることにより、被装した屋根シートを前記シート受け部で受け止めて前記シート搭載部に収納するようにしてなるパイプハウスのシート被装・収納方法。
【手続補正２】
【補正対象書類名】明細書
【補正対象項目名】全文
【補正方法】変更
【補正の内容】
【発明の詳細な説明】
【技術分野】
【０００１】
本発明は、ビニールハウスとも呼ばれるパイプハウスのパイプ組成体にビニール等の屋根シートを被装し、また被装した屋根シートを収納する作業に用いて好適なパイプハウス用シート被装・収納具及びパイプハウスのシート被装・収納方法に関する。
【背景技術】
【０００２】
パイプハウスはパイプ組成体と、その上に被装する塩化ビニール等の屋根シートと、パイプ組成体の側面を覆うサイドシートとから構成してあり、屋根シートをパイプ組成体に被装する場合、従来はパイプ組成体の側面一側に引き紐を連結した屋根シートを置き、パイプ組成体上に掛け渡して他側に垂らした引き紐を引くことにより、屋根シートをパイプ組成体上に引揚げて被装する作業を行っていた。
【０００３】
しかし、屋根シートを均等に引揚げる作業は困難であるし、重なった屋根シートが水分で付着している場合には大きな力が必要であるため、多くの作業員が必要であるという問題、作業中に屋根シートが風に煽られると人力で押えることは困難で、幾度も作業のやり直しになるという問題がある。また、屋根シートは地面に置いた状態から引揚げるために土、泥が付いて汚れる、屋根シートに擦り傷が付いて裂ける原因になるといった幾多の欠点がある。
【０００４】
そこで、作業効率の向上やパイプハウスの大型化に対応すべく、パイプ組成体の前端から後端に向けて屋根シートを順次被装する用具が提案されている。例えば、パイプハウス骨組１００の一方の妻面上部に取付けたロールガイド具８と、パイプハウス骨組の屋根の中央部に摺動自在に載置し、屋根を被覆するフィルム２０の一端側を取り付ける手段を備えたソリ具１０と、パイプハウス骨組１００の他方の妻面１２上部に取り付けるプーリー具１４と、ソリ具１０に連結した牽引ロープ１６をプーリー具１４を介して地上から牽引する牽引手段１８とから構成したパイプハウスのフィルム展張用具が提案されている（特許文献１）。
【０００５】
また、移動体がビニールハウス上で移動しながら屋根シートをビニールハウス上に展設する方法の用具も提案されている。例えば、天井部４ａ上で滑動する滑動体２６と、天井部４ａに沿ってアーチ状に形成し、滑動体２６に設けた支持枠体６と、支持枠体６上に設け、ビニールを滑動方向とは反対方向に繰出すビニール繰出し体１０とを備え、滑動体２６に自走装置を設け、ビニールハウス棟４の天井部上にビニールを伸長・展開しながら天井部を被覆するビニール伸長・展開機１が提案されている（特許文献２）。
【特許文献１】特開平１１−１１３４１５号公報
【特許文献２】特許第３２４２０３６号特許公報
【発明の開示】
【発明が解決しようとする課題】
【０００６】
しかし、特許文献１に示す技術は、フィルム２０の一端側を取り付ける手段を備えたソリ具１０を、パイプハウス骨組１００の一方の妻面側から他方の妻面に向けて他方の妻面側から牽引手段により牽引するもので、フィルムが濡れている場合には、パイプハウス骨組１００上にフィルムを円滑に展張するには困難で大きな牽引力が必要であるし、フィルムが無理な力で裂ける危険がある。また、展張作業中にフィルムを骨組１００に順次係着することは出来ないから、風を受けたフィルムが煽られて作業がやり直しになってしまうという欠点がある。
【０００７】
また、特許文献２に示す技術は、装置として大掛かりで高価であるし、平坦で固く締まった地盤でないとキャスター車輪３０を有する支持枠体６は使用出来ないという問題があり、極めて特殊なパイプハウスでしか使用出来ないものである。また、ビニール５の展張作業中での風による煽りに対応できないという上述した特許文献１の技術と同様の欠点がある。
【０００８】
本発明は上述した従来技術の諸問題と欠点に鑑みなされたもので、構成が簡単で軽量であるからシート被装作業が容易であるし、パイプ組成体に屋根シートを被装しながら順次係着するので風によって煽られることがなく作業効率に優れており、しかも被装した屋根シートを収納する作業も容易に行うことができるパイプハウス用シート被装・収納具及びパイプハウスのシート被装・収納方法を提供することを目的とする。
【課題を解決するための手段】
【０００９】
上述した課題を解決するために構成した請求項１に係る本発明の手段は、複数本のアーチパイプをセンターパイプに連結し、地盤に所定の間隔で列設してなるパイプ組成体上に屋根シートを被装するパイプハウス用シート被装具であって、前記パイプ組成体上を前後方向に移動可能なシート搭載部と、該シート搭載部の前端側に形成したシート受け部と、前記シート搭載部の後端側に設けた後方引き索とからなり、前記シート受け部は前記シート搭載部に搭載した屋根シート束を地上から被装方向に牽引することにより押動され、前記後方引き索を後方に牽引することにより屋根シートを受け止める一対のシート移送台を、前記センターパイプの両側に位置するように横方向に連結し、該各シート移送台の対向する側縁に、前記センターパイプに当接し、かつ前記アーチパイプを乗り越え可能なガイド材を設けたものからなる。
【００１０】
また、前記シート移送台の下面に、前記パイプ組成体上を摺動するランナーを設けた構成にするとよい。
【００１１】
更に、前記ランナーは、前記シート移送台に対して前後の向を転換可能に設けるとよい。
【００１２】
また、前記一対のシート移送台は、互いに上下方向に揺動自在なように連結するとよい。
【００１３】
また、請求項５に係る本発明を構成するパイプハウスのシート被装・収納方法は、パイプ組成体上を移動可能なシート搭載部と、該シート搭載部の前端側に形成したシート受け部と、前記シート搭載部の後端側に設けた後方引き索とからなる一対のシート移送台で構成したパイプハウス用シート被装具に屋根シート束を搭載し、該屋根シート束の基端側を前記パイプ組成体の一側端に係着した状態で、該屋根シート束を地上から被装方向に向けて牽引して前記シート受け部を押動することにより、前記パイプハウス用シート被装具を移動させつつ該屋根シート束の屋根シートを前記パイプ組成体上に順次繰り出して被装し、被装した屋根シートは該パイプ組成体に順次係着し、かつ、前記後方引き索を後方に牽引して前記パイプハウス用シート被装具を後進させることにより、被装した屋根シートを前記シート受け部で受け止めて前記シート搭載部に収納するようにしたことにある。
【発明の効果】
【００１４】
本発明は上述の如く構成したから、下記の諸効果を奏する。
（１）パイプハウス用シート被装具を構成するシート移送台は、シート搭載部とシート受け部とシート搭載部の後端側に設けた後方引き索とにより、パイプ組成体上を前後方向に移動可能で、極めて軽量に構成してあるから、搭載した屋根シート束を地上から牽引してシート受け部を押動することによりパイプ組成体に屋根シートを被装し、かつ、被装してある屋根シートは後方牽引索を牽引してシート受け部で受け止めてシート搭載部に収納できるから、屋根シートの被装と収納の作業性に優れており、取扱いが容易であるし、故障も無く耐久性に優れている。
（２）シート移送台の下面にパイプ組成体上を摺動するランナーを設けたから、アーチパイプのスパンが広い場合にも、シート移送台の長さは変えずに、長さのあるランナーに交換するだけでシート移送台を使用することができる。
（３）ランナーはシート移送台に対して前後の向を転換可能に設けることにより、シート移送台は屋根シートの被装にも収納にも用いることができる。
（４）一対のシート移送台は、互いに上下方向に揺動自在に連結してあるから、アーチパイプの傾斜角度や湾曲率が異なるパイプ組成体にも搭載して使用することができる。
（５）パイプハウス用シート被装具に搭載した屋根シートは、その基端側をパイプ組成体の一側端に係着し、他側端に向けてパイプハウス用シート被装具を移動させながらパイプ組成体上に順次被装し、被装した屋根シートはパイプ組成体に順次係着するから、風によって屋根シートが煽られることなく効率よく屋根シートの被装作業を行うことが出来る。また、後方引き索を後方に牽引してパイプハウス用シート被装具を後進させることにより、被装した屋根シートをシート受け部で受け止めてシート搭載部に収納することが出来ることから、屋根シートの被装と収納を１台で行うことができる。
【発明を実施するための最良の形態】
【００１５】
以下、本発明の実施の形態を図面に基づき詳述する。先ず、パイプハウス１はパイプ組成体２と、該パイプ組成体２の腰高部分を覆うサイドシート３と、パイプ組成体２の屋根部分を覆う例えば塩化ビニール製の屋根シート４とから構成してある。ここで、該パイプ組成体２は、図２に示すように地面Ｇに所定の間隔で立設する多数本のアーチパイプ２Ａと、該アーチパイプ２Ａを上端側で連結するセンターパイプ２Ｂと、アーチパイプ２Ａを左右の両側面で連結するサイドパイプ２Ｃ、２Ｃとから構成してあり、パイプ組成体２を組上げたら、先ずサイドシート３によりパイプ組成体２の腰高部分を覆う。
【００１６】
１１は、前記パイプ組成体２上に屋根シート４を被装するパイプハウス用シート被装具（以下、シート被装具１１と称する。）を示す。１２、１２は該シート被装具１１を構成する一対のシート移送台で、該各シート移送台１２はパイプ組成体２上を移動する平板状のシート搭載部１２Ａと、該シート搭載部１２Ａの先端から上方に湾曲状に突出するシート受け部１２Ｂを合成樹脂材によって縦断面略倒置Ｊ字状に一体に成形したものからなり、シート搭載部１２Ａに屋根シート４を蛇行状に折畳んで積層した屋根シート束４´を搭載するようになっている。
【００１７】
そして、シート搭載部１２Ａには軽量化のための複数の抜き穴１２Ｃを形成し、後端側に後索連結穴１２Ｄを、シート搭載部１２Ａからシート受け部１２Ｂに続く部位の外側寄りの位置に前索連結穴１２Ｅを夫々形成してある。
【００１８】
１３、１３は各シート搭載部１２Ａの下面に設けた一対のランナーで、該各ランナー１３は棒鋼の先端側１３Ａを上向き湾曲状に形成したものからなる。各ランナー１３は、シート搭載部１２Ａの下面に設けた取付け部材１４に着脱可能に設けることにより、進行方向に応じて先端側１３Ａの向きを逆向きに変更可能になっている。
【００１９】
１５、１５は前記一対のシート移送台１２、１２を横方向に連結する一対のヒンジを示す。該各ヒンジ１５は両シート移送台１２、１２の対向縁に夫々設けた筒状の各一対の継手と、同一軸線に衝合させた継手に挿装したピンとによって、公知のヒンジと同様に構成してあり、一対のシート移送台１２、１２はヒンジ１５を中心に上下方向に揺動可能に連結してある。なお、ヒンジ１５に代えて、ゴム、合成樹脂材などで成形した１以上の可撓性連結片で一対のシート移送台１２、１２を連結してもよいものである。
【００２０】
１６は各シート移送台１２の対向縁に設けた棒状のガイド材で、該ガイド材１６は上端側をシート移送台１２に固着したブラケット１６Ａに軸着することで前後方向に回動自在になっている。
【００２１】
１７はシート被装具１１をパイプ組成体２の後方に向けて移動させるための後方引き索で、該後方引き索１７は各シート移送台１２に設けた後索連結穴１２Ｄに挿通して係着してある。１８は各シート移送台１２の前紐連結穴１２Ｅに連結した前方引き索で、該前方引き索１８は屋根シート束４´の重量がある場合や、シート移送台１２の動きが悪い場合に前方に移動させる補助として使用する。
【００２２】
本実施の形態は上述の構成からなるが、次にその作動について説明する。先ず、パイプ組成体２の前側端上に一対のシート移送台１２、１２を乗せ、センターパイプ２Ｂを中心にしてその両側にシート移送台１２Ａ、１２Ａを配置してヒンジ１５で連結する。これにより、一対のガイド材１６、１６はセンターパイプ２Ｂを緩やかに挟んだ状態になり、シート被装具１１がアーチパイプ２Ａを中心にして左右にぶれることなく直進移動するのを確保し、またシート移送台１２がアーチパイプ２Ａから横方向に滑落する事態を防止している。
【００２３】
次に、シート被装具１１上に屋根シート束４´を搭載してその両端側４´Ａ、４´Ａをパイプ組成体２の両側に垂らした状態にし（図１参照）、屋根シート４の長手方向一側端部４Ｂをパイプ組成体２のアーチパイプ２Ａに公知のクリップ１９、１９、・・で係着する。しかる後、屋根シート束４´の両端側４´Ａを作業員が地上から矢示イ方向の被装方向に引くと、屋根シート束４´によってシート受け部１２Ｂが押動されてシート移送台１２、１２が前進し、逆に屋根シート４は矢示ロ方向の後方に順次繰り出されることでパイプ組成体２上に展開することができる。
【００２４】
シート被装具１１は、一対のシート移送台１２、１２に設けたガイド材１６がセンターパイプ２Ｂを緩やかに挟んだ状態にしてあるから、パイプ組成体２上で横方向に滑落することなく略中心位置を維持しながら前進することで、屋根シート４を左右略均等に被装することができる。そして、ガイド材１６はシート移送台１２に回動可能に設けてあるから、移動中にアーチパイプ２Ａに当る度に回動することで容易に乗り越えることができ（図７参照）、シート被装具１１は円滑に前進し、また収納時には後退することができる。
【００２５】
このようにして、パイプ組成体２上に屋根シート４を被装しながら、適宜の間隔で屋根シート４をクリップ１９、１９、・・によりアーチパイプ２Ａとサイドパイプ２Ｃに係着する。また、隣接するアーチパイプ２Ａ、２Ａの間に、屋根シート４の上からゴム製のハウスバンド２０をパイプ組成体２の両側に掛けて張設することにより、屋根シート４をパイプ組成体２に強固に被装することができ、風に煽られる事態を確実に防止することができる。シート移送台１２は、パイプ組成体２の他側端に到達したら地上に降ろし、屋根シート４の他側端部をアーチパイプ２Ａとサイドパイプ２Ｂにクリップ１９で係着することで、屋根シート４の被装作業は終了する。
【００２６】
上記とは逆に、パイプ組成体２に被装してパイプハウスを構成している屋根シート４を収納する場合は、シート移送台１２に設けてあるランナー１３、１３の前後の向きを変え、パイプ組成体２の後端側に乗せて屋根シート４の他側端部をシート搭載部１２Ａに乗せる。この状態から、後方引き索１７を引いてシート移送台１２を矢示ロ方向に摺動させ、屋根シート４の下側に恰も潜り込ませるように移動させることにより、屋根シート４をシート受け部１２Ｂで受け止めることでシート搭載部１２Ａに円滑に収納することができる。
【００２７】
このように、屋根シート４の被装作業と収納作業のいずれも、屋根シート４を地盤Ｇに接することなく行うから、屋根シート４が汚れることが無いし、擦り傷等が付いて亀裂するといった事態を解消できる。また、被装作業中に屋根シート４はパイプ組成体２にクリップ１９により順次固定し、ハウスバンド１９によって屋根シート４をパイプ組成体２に順次締着する作業を進めることにより、作業中に屋根シート４が風に煽られて作業をやり直すといった作業の無駄を解消することができる。
【００２８】
次に、本実施の形態の変形例を図９に示す。図において、２１はシート被装具、２２、２２は該シート被装具２１を構成する一対のシート移送台で、該各シート移送台２２は下面２２Ａ１が摺動面になり、パイプ組成体２上を移動する平板状のシート搭載部２２Ａと、該シート搭載部２２Ａの先端から上方に湾曲状に突出するシート受け部２２Ｂと、シート搭載部２２Ａの後端側を上方に若干湾曲させた後進誘導部２２Ｃを合成樹脂材によって縦断面略倒置Ｊ字状に一体に成形してある。そして、シート搭載部２２Ａに屋根シート４を蛇行状に折畳んで積層した屋根シート束４´を搭載して屋根シート４を被装し、収納する後進時にはシート搭載部２２Ａに連結した後方引き索１７で矢示ハ方向に牽引するようにしてある。
【００２９】
シート被装具２１は上述の構成からなり、屋根シート４を被装し、収納する使用方法は前述したシート被装具１１と異なるところはないが、シート移送台２２自体がパイプ組成体２上で摺動し、シート移送台２２にランナー１３は設けない構成にしたから、構成が更に簡潔になるし、ランナー１３の方向転換の手間を無くすことができる。
【００３０】
なお、本実施の形態では一対のシート移送台１２、１２によってシート被装具１１を構成するものとして説明したが、４台のシート移送台１２、１２、・・を横方向に連結して構成してもよいし、下面がパイプ組成体２の屋根部頂上に沿った形状に形成した中央シート移送台の両側に、シート移送台１２、１２を連結した構成にすることも本発明思想に包含されるものである。
【図面の簡単な説明】
【００３１】
【図１】本発明の実施の形態に係るシート被装具の使用状態を説明する正面図である。
【図２】シート被装具の使用状態を説明する側面図である。
【図３】シート被装具の部分正面図である。
【図４】シート被装具の左側面図である。
【図５】シート被装具の外観斜視図である。
【図６】シート被装具をパイプ組成体上に載置した状態の平面図である。
【図７】ガイド材がアーチパイプを乗り越える状態の説明図である。
【図８】ランナーを逆付けしたシート被装具によって屋根シートを収納する状態の説明図である。
【図９】変形例に係るシート被装具の側面図である。
【符号の説明】
【００３２】
２        パイプ組成体
２Ａ      アーチパイプ
２Ｂ      センターパイプ
４        屋根シート
４´      屋根シート束
１１、２１    パイプハウス用シート被装具
１２、２２    シート移送台
１２Ａ    シート搭載部
１２Ｂ    シート受け部
１３      ランナー
１５      ヒンジ
１６      ガイド材
１７      後方引き索